(57)【特許請求の範囲】
【請求項１】
堆積した複数枚の単片用紙を乗せて移送する搬送テーブルと、札供給部から供給された表示札をガイドし、表示札の一部が堆積した最上位の単片用紙の上に突出した状態で、離脱可能に支持する札支持部と、前記堆積した単片用紙に対して昇降可能に設け、下降したとき前記堆積した最上位の単片用紙上に前記札支持部で支持された表示札の突出部分を押し付け、堆積した単片用紙の移動にともなって表示札を前記札支持部から離脱させて堆積した最上位の単片用紙上に載置する載置部とから構成した表示札の載置装置であって、札支持部を、札供給部から送り込まれた表示札をガイドして挟持するように、水平方向に伸びる各下端を対向配置した札ガイド及び板バネから構成するとともに、載置部が下降したとき、前記札支持部の下端が載置部の下端部分より高くなるよう構成したことを特徴する表示札の載置装置。
【請求項２】
堆積した複数枚の単片用紙を乗せて移送する搬送テーブルと、札供給部から供給された表示札をガイドし、表示札の一部が堆積した最上位の単片用紙の上に突出した状態で、離脱可能に支持する札支持部と、前記堆積した単片用紙に対して昇降可能に設け、下降したとき前記堆積した最上位の単片用紙上に前記札支持部で支持された表示札の突出部分を押し付け、堆積した単片用紙の移動にともなって表示札を前記札支持部から離脱させて堆積した最上位の単片用紙上に載置する載置部とから構成した表示札の載置装置であって、札支持部を、札供給部から送り込まれた表示札をガイドして挟持するように、水平方向に伸びる各下端を対向配置した札ガイド及び板バネから構成するとともに、載置部が下降したとき、前記札支持部の下端が載置部の下端部分より高くなるよう構成する一方、前記載置部は、回転自在の複数のコロを搬送テーブルの移送方向に並べてなるコロユニットで構成したことを特徴する表示札の載置装置。
【発明の詳細な説明】
【０００１】
【発明の属する技術分野】
本発明は、所定枚数ずつ区分けして堆積した単片用紙の最上位に、区分け内容を表示するための表示札を載置するための表示札の載置装置に関する。
【０００２】
【従来の技術】
従来、堆積した複数枚の単片用紙の最上位に表示札を載置する作業は、所定位置への確実な位置決めを機械で行うことが困難で、特に表示札が軽い場合には困難性が顕著なため人手によって行うことが多かった。
【０００３】
【発明が解決しようとする課題】
本発明は、このような事情に鑑みてなされたもので、人手によらず、軽い表示札でも堆積した複数枚の単片用紙の最上位の所定位置に、確実に載置することが可能な表示札の載置装置を提供することを目的とする。
【０００４】
【課題を解決するための手段】
請求項１に記載された発明は、前記目的を達成するために、堆積した複数枚の単片用紙を乗せて移送する搬送テーブルと、札供給部から供給された表示札をガイドし、表示札の一部が堆積した最上位の単片用紙の上に突出した状態で、離脱可能に支持する札支持部と、前記堆積した単片用紙に対して昇降可能に設け、下降したとき前記堆積した最上位の単片用紙上に前記札支持部で支持された表示札の突出部分を押し付け、堆積した単片用紙の移動にともなって表示札を前記札支持部から離脱させて堆積した最上位の単片用紙上に載置する載置部とから構成した表示札の載置装置であって、札支持部を、札供給部から送り込まれた表示札をガイドして挟持するように、水平方向に伸びる各下端を対向配置した札ガイド及び板バネから構成するとともに、載置部が下降したとき、前記札支持部の下端が載置部の下端部分より高くなるよう構成したものである。
【０００５】
また、請求項２に記載された発明は、前記目的を達成するために、堆積した複数枚の単片用紙を乗せて移送する搬送テーブルと、札供給部から供給された表示札をガイドし、表示札の一部が堆積した最上位の単片用紙の上に突出した状態で、離脱可能に支持する札支持部と、前記堆積した単片用紙に対して昇降可能に設け、下降したとき前記堆積した最上位の単片用紙上に前記札支持部で支持された表示札の突出部分を押し付け、堆積した単片用紙の移動にともなって表示札を前記札支持部から離脱させて堆積した最上位の単片用紙上に載置する載置部とから構成した表示札の載置装置であって、札支持部を、札供給部から送り込まれた表示札をガイドして挟持するように、水平方向に伸びる各下端を対向配置した札ガイド及び板バネから構成するとともに、載置部が下降したとき、前記札支持部の下端が載置部の下端部分より高くなるよう構成する一方、前記載置部は、回転自在の複数のコロを搬送テーブルの移送方向に並べてなるコロユニットで構成したものである。
【０００６】
【発明の実施の形態】
以下に、単片用紙である同一郵便番号の葉書を所定枚数毎に区分けして束にする葉書束の作成装置に適用した本発明の好適な実施の形態を添付図面に基づいて詳細に説明する。ここにおいて、添付図面の図１は葉書束の作成装置の概略的な正面図、図２は割引札を札支持部に取り込む前の状態を示す載置装置の正面図、図３は割引札を札支持部に取り込んだ状態を示す載置装置の正面図、図４は割引札を札支持部から引出し堆積した葉書上に載置する状態を示す載置装置の正面図である。
【０００７】
先ず、本発明の載置装置１を適用する単片用紙束である葉書束ｂの作成装置２について説明する。図１に示したように、作成装置２は、単片用紙たる葉書ａの郵送において、同一の郵便番号が付された葉書ａを所定数以上束ね、割引札ｃ（図２〜図４参照）を載置して郵便局に提出すると郵送料が割引されるという割引制度を利用するものである。この作成装置２は、葉書ａを供給する用紙供給部３と、この用紙供給部３から送り出された葉書ａを搬送する搬送路４と、葉書ａに付された識別コードたる郵便番号やマークを読み取るとともに、葉書ａの枚数をカウントするコード読み取り器５と、搬送中の葉書ａの搬送経路を修正して次装置への搬入を正確に行うべく、搬送路４に沿って設けたガイド壁（図示せず）に葉書ａを幅寄せするための幅寄せ部（図示せず）と、搬送路４の途中で必要に応じて葉書ａを排出するためのリジェクト用スタッカ装置７と、前記コード読み取り器５で読み取った郵便番号が区分け予定したグループのものであったとき、その葉書ａを搬入し堆積する２機の区分けスタッカ装置８ａ、８ｂと、郵送料の割引に関する表示が記載された表示札たる割引札ｃを堆積した葉書ａ上に載置する２機の前記載置装置１，１と、割引札ｃを載置した前記堆積した葉書ａに幅方向に帯９を掛ける２機の第１帯掛部１０ａ，１０ｂと、この第１帯掛部１０ａ，１０ｂで帯掛けされた前記堆積した葉書ａに、さらに長手方向に帯１１を掛ける１機の第２帯掛部１２とを有する。また、前記区分けスタッカ装置８ａ，８ｂから前記第１帯掛部１０ａ，１０ｂに至る２組の装置群は、交互に駆動されるように構成されている。
【０００８】
さらに、作成装置２には、搬送路４終端に設け、区分け予定したグループの郵便番号とは異なる郵便番号を付した葉書ａをスタックするための雑スタッカ装置１３と、前記リジェクト用スタッカ装置７及び区分けスタッカ装置８ａ、８ｂへの葉書ａの搬入と非搬入を切り換えるための切換ガイド１４、１５、１６と、該各切換ガイドを作動させるための作動部１４ａ，１５ａ，１６ａと、前記コード読み取り器５及び作動部１４ａ，１５ａ，１６ａに接続する一方、前記各装置を制御する制御部１７とを備えている。この制御部１７は、操作部１８及び表示部１９を有する。なお、用紙供給部３から供給される葉書ａの所定区分枚数毎には、コード読み取り器５が正常に作動しているか否かを確認するために、ダミーマークを付した葉書ａが挿入されており、前記コード読み取り器５がダミーマークを読み取ったときに、その葉書ａをリジェクト用スタッカ装置７に搬入するよう、前記制御部１７の制御で作動部１４ａに指示が出力され、切換ガイド部材１４が変位する。また、葉書ａの中には、郵送せずに手渡しすべきものが含まれている場合があるが、このような場合は、制御部１７によって、コード読み取り器５が、前記手渡しすべき葉書ａに付したピックアップマークを読み取ったときにリジェクト用スタッカ装置７にこの葉書ａを搬入するよう制御されている。さらに、コード読み取り器５で読み取った郵便番号が区分け予定した葉書ａのグループのものであるときは、前記制御部１７の制御から作動部１５ａあるいは作動部１６ａに指示が出力され、切換ガイド１５あるいは切換ガイド１６が変位する。
【０００９】
図２〜図４に示したように、前記載置装置１は、堆積した複数枚の葉書ａを載せて移行する搬送テーブル２０と、図示しない昇降機によって矢印Ａ，Ａのように下降するとともに、回転自在な複数のコロ２１・・・を前記搬送テーブル２０の移送方向に並べてなり、前記搬送テーブル２０上の堆積した葉書ａ上に添付するための載置部たるコロユニット２２と、表示札たる割引札ｃを搬入するよう垂直に配置した札供給部の札供給ベルト２３と、この札供給ベルト２３から割引札ｃを取り込むとともに、前記割引札ｃを挟持するようになした札支持部２４とから構成する。
【００１０】
前記札支持部２４は、前記札供給ベルト２３の出口に対応位置するよう上端を斜めに起立させ、曲面をもって折曲形成し下端を水平方向に伸ばした札ガイド２５と、札供給ベルト２３の出口から繰り出された割引札ｃが前記札ガイド２５との間に入るよう形成し、その下端を前記札ガイド２５下端に水平に対向して割引札ｃを挟持するようなした板バネ２６とからなる。札ガイド２５と板バネ２６の各下端は、札供給ベルト２３から突入した割引札ｃが通過し、その一部が外部に突出した状態で挟持しうるよう構成してある。
【００１１】
さらに、板バネ２６上端は、コロユニット２２上側に押圧バネ２７，２７を介して連繋した連繋板２８に固定され、この連繋板２８の上側には、コロユニット２２の最上方位置を決定するためのストッパ２９を設ける。そして、図２あるいは図３に示すように、コロユニット２２が待機状態のときは、札ガイド２５の下端がコロ２１・・・の下側より低い位置となる一方、前記コロユニット２２が下降したときは、図４に示すように、札支持部２４と一体の連繋板２８が前記押圧バネ２７，２７の上方への付勢力によってストッパ２９に当接したままなので、札ガイド２５の下端がコロ２１・・・の下側より若干高い位置となる。なお、図２〜図４中、符号３０，３０は、前記押圧バネ２７，２７を巻くビスで、前記連繋板２８を移動可能に貫通し、上端を該連繋板２８上面に係止するとともに、下端をコロユニット２２に固定してある。
【００１２】
続いて、作成装置２と、本発明に係る載置装置１の動作について説明する。先ず、搬送路中の単片用紙たる葉書ａに付された郵便番号をコード読み取り器５が読み取り、この郵便番号が区分け予定したグループのものであったとき、該葉書ａは区分けスタッカ装置８ａに搬入され堆積する。また、コード読み取り器５がダミーマークあるいはピックアップマークを読み取ったときは、切換ガイド１４が作動部１４ａの指示で各々切り替わり、それらの葉書ａはリジェクト用スタッカ装置６に搬入されスタックされる。さらに、コード読み取り器５が、区分け予定するグループのものでない識別コードを読み取ったときは、切換ガイド１４，１５，１６はいずれも切り換わらず、その葉書ａは雑スタッカ装置１３に搬入されスタックされる。
【００１３】
次に、前記区分けスタッカ装置８ａに堆積した葉書ａは、載置装置１の搬送テーブル２０に乗せられ、コロユニット２２の下方位置に向かう。一方、割引札ｃは、供給ベルト２３によって札支持部２４に送り込まれ、札ガイド２５と板バネ２６の各下端からコロユニット２２の下方位置、すなわち、堆積した葉書ａ上に対応する位置に突出して停止する。ここで、搬送テーブル２０に乗って移送する堆積した葉書ａがコロユニット２２の下方位置に入ってくるとコロユニット２２が下降し、割引札ｃの前記突出部分は、コロ２１・・・によって堆積した葉書ａの最上位面に押し付けられる（図４参照）。なお、札支持部２４は、コロユニット２２が下降しても、押圧バネ２７，２７の上方への付勢力によって連繋板２８がストッパ２９に当接した状態を保つので、コロユニット２２が下降すると、札支持部２４の札ガイド２５下端面がコロ２１の下側より高い状態に変位することになる（図４参照）。そして、この割引札ｃ先端が突出し、札ガイド２５の下端面がコロ２１・・・の下側より高い状態において、割引札ｃがコロ２１・・・で堆積した葉書ａの最上位面に押し付けられ、前記割引札ｃと該葉書ａの最上位面との間に大きな摩擦力が発生する一方、割引札ｃと回転自在のコロ２１との間の摩擦力は小さいので、割引札ｃは札支持部２４から引き出され、堆積した葉書ａの最上位面に引きずられて、葉書ａの移動にともなって堆積した葉書ａの最上位に載置される。この状態で搬送テーブル２０上の堆積した葉書ａはさらに移動し（図４の矢印Ｂ参照）、第１帯掛部１０ａに移行する。
【００１４】
この第１帯掛部１０ａでは、堆積した葉書ａの幅方向に帯１１を掛け、第２帯掛部１２に移行し、その長手方向に帯９を掛けることによって葉書束ｂとなし、郵便局に提出可能な状態となる。
【００１５】
なお、本発明は、前記実施の形態になんら限定されるものではなく、例えば、単片用紙は葉書ａに代えて封筒や各種カード等としてもよいほか、軽い表示札は割引札ｃに限らない。また、載置部は、コロ２１を有するコロユニット２２に代えて、割引札ｃとの間の摩擦が小さい部材を用いてもよい。
【００１６】
【発明の効果】
以上のように、請求項１に記載された本発明は、軽い表示札の載置を人手をかけずに順次確実に行うことができるとともに、札供給部から送り込まれた表示札を、その一部が外部に突出した状態で確実に支持する札支持部を用いたので、表示札の単片用紙束への載置ミスや不意の脱落を防ぐことができるという効果を奏する。
【００１７】
さらに、請求項２に記載された本発明は、軽い表示札の載置を人手をかけずに順次確実に行うことができるとともに、札供給部から送り込まれた表示札を、その一部が外部に突出した状態で確実に支持する札支持部を用いたので、表示札の堆積した単片用紙への載置ミスや不意の表示札の脱落を防ぐことができ、かつ、載置部に、回転自在の複数のコロを前記搬送テーブルの移動方向に並べてなるコロユニットを用いたので、札支持部から表示札を確実に離脱し、堆積した単片用紙上に正確に載置できるという効果を奏する。
【図面の簡単な説明】
【図１】  葉書束の作成装置の概略的な正面図。
【図２】  割引札を札支持部に取り込む前の状態を示す載置装置の正面図。
【図３】  割引札を札支持部に取り込んだ状態を示す載置装置の正面図。
【図４】  割引札を札支持部から引き出し堆積した単片用紙に載置する状態を示す載置装置の正面図。
【符号の説明】
ａ  葉書
ｂ  葉書束
１  載置装置
２  作成装置
４  搬送路
２０  搬送テーブル
２１  コロ
２２  コロユニット
２３  札供給ベルト
２４  札支持部
２５  札ガイド
２６  板バネ
２７  押圧バネ
２８  連繋板
２９  ストッパ
３０  ビス
【図１】
0003710246.tif 000002
【図２】
0003710246.tif 000003
【図３】
0003710246.tif 000004
【図４】
0003710246.tif 000005